(57)【要約】【課題】肌を損傷させにくくすることに貢献する電気かみそりを提供する。【解決手段】電気かみそり１は、本体部１０、除毛部２０、および振動発生部１００を有する。本体部１０は、除毛部２０を支持する。振動発生部１００は、磁力発生部１１０および出力可動部１２０を有する。磁力発生部１１０は、コイル１１２および入力側鉄心１１３を有し、コイル１１２により磁界を形成し、入力側鉄心１１３の吸引力を出力可動部１２０に作用させる。出力可動部１２０は、振動部品１２１および出力側鉄心１２５を有する。出力側鉄心１２５は、振動部品１２１と結合し、入力側鉄心１１３の吸引力に基づいて磁力発生部１１０に対して運動する。振動部品１２１は、出力側鉄心１２５の運動に基づいて除毛部２０に振動を伝達し、除毛部２０の負荷が大きくなるにつれて出力側鉄心１２５を入力側鉄心１１３に接近させる。【選択図】図２
2014193219.tif 000002
【特許請求の範囲】
【請求項１】
電気かみそりであって、
前記電気かみそりは、本体部、除毛部、および振動発生部を有し、
前記本体部は、前記除毛部を支持し、
前記振動発生部は、磁力発生部および出力可動部を有し、
前記磁力発生部は、コイルおよび入力側鉄心を有し、前記コイルにより磁界を形成し、前記入力側鉄心の吸引力を前記出力可動部に作用させ、
前記出力可動部は、振動部品および出力側鉄心を有し、
前記出力側鉄心は、前記振動部品と結合し、前記入力側鉄心の吸引力に基づいて前記磁力発生部に対して運動し、
前記振動部品は、前記出力側鉄心の運動に基づいて前記除毛部に振動を伝達し、前記除毛部の負荷が大きくなるにつれて前記出力側鉄心を前記入力側鉄心に接近させる
電気かみそり。
【請求項２】
前記電気かみそりは、前記除毛部および前記振動部品の間に隙間を有し、
前記隙間は、前記除毛部の負荷が大きくなるにつれて小さくなり、
前記振動部品は、前記隙間が存在しているとき、前記除毛部に振動を伝達せず、前記隙間が存在していないとき、前記除毛部に振動を伝達する
請求項１に記載の電気かみそり。
【請求項３】
前記電気かみそりは、位置調整部を有し、
前記位置調整部は、前記振動部品に対する前記除毛部の初期位置を変化させる
請求項１または２に記載の電気かみそり。
【発明の詳細な説明】
【技術分野】
【０００１】
本発明は、電気かみそりに関する。
【背景技術】
【０００２】
特許文献１は、従来の電気かみそりの一例を開示している。図５は、特許文献１の電気かみそり９００を示している。電気かみそり９００は、グリップ部９１０、刃ヘッド９２０、ソレノイド９３０、およびロッド９４０を有する。刃ヘッド９２０は、ヘッドハウジング９２１、外刃９２２、およびヘッドベース９２３を有する。ソレノイド９３０は、グリップ部９１０の内部に配置されている。
【０００３】
ソレノイド９３０は、フレーム９３１、ボビン９３２、コイル９３３、固定鉄心９３４、および可動鉄心９３５を有する。固定鉄心９３４および可動鉄心９３５は、ギャップ９３６を介して対向している。コイル９３３は、ボビン９３２に巻き付けられている。ロッド９４０は、可動鉄心９３５と結合されている。ロッド９４０の先端部は、ヘッドベース９２３と結合されている。
【０００４】
ソレノイド９３０は、コイル９３３の通電および非通電が繰り返されることにより、可動鉄心９３５およびロッド９４０を往復運動させる。ソレノイド９３０は、ロッド９４０を往復運動させることにより、刃ヘッド９２０を振動させる。このため、刃ヘッド９２０を肌に押し付ける力が大きくなる。
【０００５】
可動鉄心９３５は、刃ヘッド９２０の負荷が大きくなるにつれて、固定鉄心９３４から離間する。このため、ギャップ９３６が大きくなる。このため、可動鉄心９３５は、固定鉄心９３４から受ける吸引力が小さくなる。このため、刃ヘッド９２０を肌に押し付ける力が小さくなる。
【０００６】
電気かみそり９００は、以上のとおり、刃ヘッド９２０の負荷が大きくなるにつれて刃ヘッド９２０の振動力を低下させる構造を有する。この構造は、使用者が刃ヘッド９２０を肌に押し付ける力である押付力、および、ソレノイド９３０が刃ヘッド９２０に伝達する振動力の合力を一定の大きさに維持することを意図している。
【先行技術文献】
【特許文献】
【０００７】
【特許文献１】特開２００９−２３２８９０号公報
【発明の概要】
【発明が解決しようとする課題】
【０００８】
本願発明者は、電気かみそり９００が次の課題を有することを見出した。
電気かみそり９００は、使用者が発生する押付力が一定値を超えた場合、ソレノイド９３０の振動力が発生しなくなる、または、ソレノイド９３０の振動力が微小な大きさを取ると考えられる。ソレノイド９３０の振動力は、使用者の押付力が一定値以上の大きさを取る場合、使用者の押付力が増加しても変化しない。すなわち、使用者の押付力およびソレノイド９３０の振動力の合力は、使用者の押付力が一定値以上の大きさを取る場合、実質的に押付力のみに依存して大きくなる。
【０００９】
一方、刃ヘッド９２０は、使用者の押付力が大きくなるにつれて肌を導入する量を増加させる。このため、電気かみそり９００は、使用者の押付力が一定値以上の範囲において増加するとき、刃ヘッド９２０の内部に肌を過剰に導入するおそれを有する。肌は、刃ヘッド９２０の内部に過剰に導入されたとき、刃ヘッド９２０の内刃の往復運動により損傷することがある。
【００１０】
本発明は、以上の背景をもとに発明されたものであり、肌を損傷させにくくすることに貢献する電気かみそりを提供することを目的とする。
【課題を解決するための手段】
【００１１】
本電気かみそりの独立した一形態は、次の事項を有する。電気かみそりであって、前記電気かみそりは、本体部、除毛部、および振動発生部を有し、前記本体部は、前記除毛部を支持し、前記振動発生部は、磁力発生部および出力可動部を有し、前記磁力発生部は、コイルおよび入力側鉄心を有し、前記コイルにより磁界を形成し、前記入力側鉄心の吸引力を前記出力可動部に作用させ、前記出力可動部は、振動部品および出力側鉄心を有し、前記出力側鉄心は、前記振動部品と結合し、前記入力側鉄心の吸引力に基づいて前記磁力発生部に対して運動し、前記振動部品は、前記出力側鉄心の運動に基づいて前記除毛部に振動を伝達し、前記除毛部の負荷が大きくなるにつれて前記出力側鉄心を前記入力側鉄心に接近させる。
【００１２】
本願発明者は、除毛部と肌との関係に関する実験の結果から次の知見を得た。なお、押付力は、除毛部が肌に押し付けられている状態において、使用者が除毛部を介して肌に作用させている力を示す。振動力は、入力側鉄心の吸引力に基づく振動部品の振動により、振動部品が除毛部に伝達する力を示す。
【００１３】
除毛部は、押付力が大きい場合において、振動発生部の振動力が入力されるとき、肌に対して間欠的に離間方向に変位する。すなわち、振動発生部の振動力は、大きな押付力が肌に作用しているとき、除毛部を肌に対して間欠的に離間方向に変位させる作用を有する。このため、除毛部は、押付力が大きいことにより、適正範囲よりも多い量の肌を導入していたとしても、離間方向への変位により肌の導入量を減少させる。このため、除毛部は、肌を損傷させにくくなる。
【００１４】
本電気かみそりは、振動部品を有する。振動部品は、除毛部の負荷が大きくなるにつれて出力側鉄心を入力側鉄心に接近させる。このため、肌を損傷させにくくする効果がより得られやすくなる。
【００１５】
除毛部は、肌から反力を受ける。除毛部が受ける反力は、振動部品に伝達される。振動部品は、除毛部が受ける反力により本体部側に変位する。出力側鉄心は、振動部品と結合されている。このため、出力側鉄心は、除毛部が受ける反力により振動部品が本体部側に変位するとき、同じ方向に変位する。このため、出力側鉄心は、入力側鉄心に接近する。振動部品は、除毛部が受ける反力が大きくなるにつれて本体部側への変位量が大きくなる。このため、出力側鉄心は、除毛部が受ける反力が大きくなるにつれて、入力側鉄心との距離がより近くなる。すなわち、振動部品は、除毛部の負荷が大きくなるにつれて、出力側鉄心を入力側鉄心に接近させる。
【００１６】
入力側鉄心は、コイルの非通電時における出力側鉄心との距離が近くなるにつれて、出力側鉄心に作用させる吸引力が大きくなる。このため、振動部品は、コイルの非通電時における入力側鉄心および出力側鉄心の距離が近くなるにつれて、入力側鉄心に吸引される期間に蓄積するエネルギーが大きくなる。このため、振動部品は、コイルの非通電時における入力側鉄心および出力側鉄心の距離が近くなるにつれて、コイルへの通電が停止されたときに発生する振動力が大きくなる。すなわち、振動発生部の振動力は、押付力が大きくなるにつれて大きくなる。
【００１７】
このため、除毛部は、押付力が大きくなるにつれて振動発生部から入力される振動力が大きくなる。このため、除毛部は、肌に作用する押付力が大きくなるにつれて、肌に対して間欠的に離間方向に変位しやすくなる。このため、肌を損傷させにくくする効果が高められる。
【発明の効果】
【００１８】
本電気かみそりは、肌を損傷させにくくすることに貢献する。
【図面の簡単な説明】
【００１９】
【図１】は、第１実施形態の電気かみそりのブロック構成を示す。
【図２】は、第１実施形態の振動発生部のモデル構成を示す。
【図３】は、第１実施形態の振動発生部のモデル構成を示す。
【図４】は、第２実施形態の振動発生部のモデル構成を示す。
【図５】は、従来の電気かみそりのモデル構成を示す。
【発明を実施するための形態】
【００２０】
〔ａ〕本電気かみそりの独立した一形態に従属する一形態は、次の事項を有する。前記電気かみそりは、前記除毛部および前記振動部品の間に隙間を有し、前記隙間は、前記除毛部の負荷が大きくなるにつれて小さくなり、前記振動部品は、前記隙間が存在しているとき、前記除毛部に振動を伝達せず、前記隙間が存在していないとき、前記除毛部に振動を伝達する。
【００２１】
〔ｂ〕本電気かみそりの独立した一形態に従属する一形態は、次の事項を有する。前記電気かみそりは、位置調整部を有し、前記位置調整部は、前記振動部品に対する前記除毛部の初期位置を変化させる。
【００２２】
（第１実施形態）
図１は、電気かみそり１の一形態を示している。
電気かみそり１は、本体部１０、除毛部２０、内刃駆動部５０、電源スイッチ６０、制御部７０、電源部８０、振動発生部１００、および振動入力部１３０を有する。電気かみそり１は、長手方向、幅方向、および奥行方向を規定する。電気かみそり１の長手方向は、電気かみそり１の正面視における長手方向の双方向を示す。電気かみそり１の幅方向は、電気かみそり１の正面視において長手方向に直交する双方向を示す。電気かみそり１の奥行方向は、電気かみそり１の正面視において長手方向および幅方向に直交する双方向を示す。
【００２３】
本体部１０は、使用者がグリップすることが可能な形状を有する。本体部１０は、除毛部２０を支持している。本体部１０は、内刃駆動部５０、制御部７０、電源部８０、および振動発生部１００の一部を本体部１０の内部に収容している。
【００２４】
除毛部２０は、外刃ブロック３０および内刃ブロック４０を有する。除毛部２０は、電気かみそり１の幅方向において、内刃ブロック４０を外刃ブロック３０に対して往復運動させる。除毛部２０は、内刃ブロック４０の往復運動により、外刃ブロック３０の内部に導入された毛を剃る。
【００２５】
外刃ブロック３０は、外刃ケース３１、外刃３２、および外刃内部空間３３を有する。外刃ブロック３０は、個別の部品として形成された外刃ケース３１および外刃３２が互いに結合された構造を有する。外刃ブロック３０は、外刃内部空間３３（図２参照）において内刃ブロック４０を収容している。
【００２６】
外刃ブロック３０は、電気かみそり１が除毛に用いられるとき、使用者の押付力ＦＦにより肌２００に押し付けられる。押付力ＦＦは、外刃ブロック３０が肌２００に押し付けられているとき、使用者が外刃ブロック３０を介して肌２００に作用させている力を示す。外刃ブロック３０は、肌２００に押し付けられているとき、肌２００から反力を受ける。外刃ブロック３０が肌２００から受ける反力（以下、「肌反力ＦＲ」）は、押付力ＦＦに応じて変化する。
【００２７】
外刃ケース３１は、フローティング構造を介して本体部１０と結合されている。フローティング構造は、本体部１０に対する外刃ケース３１の姿勢を変化させる。外刃ケース３１は、本体部１０に対して幅方向、高さ方向、および奥行方向に変位することができる。外刃ケース３１は、幅方向に平行な軸まわり、および、奥行方向に平行な軸まわりにおいて、本体部１０に対して回転方向に変位することができる。
【００２８】
外刃３２は、複数の外刃孔を有する（図示略）。外刃３２は、外刃孔を介して外刃内部空間３３に毛を導入する。外刃３２は、押付力ＦＦが大きいとき、外刃孔を介して外刃内部空間３３に肌２００を導入する。外刃内部空間３３に導入される肌２００の量（以下、「肌導入量Ｓ」）は、一例として、外刃孔よりも外刃内部空間３３側に存在する肌２００の体積として規定することができる。
【００２９】
内刃ブロック４０は、継手部品４１および内刃４２を有する。内刃ブロック４０は、個別の部品として形成された継手部品４１および内刃４２が互いに結合された構造を有する。内刃ブロック４０は、外刃ブロック３０と協働して毛を剃る。
【００３０】
継手部品４１は、外刃ケース３１側の部分において、内刃４２と結合している。継手部品４１は、本体部１０側の部分において、内刃駆動部５０と結合している。継手部品４１は、本体部１０および外刃ブロック３０に対する幅方向への変位が可能な構造を有する。
【００３１】
内刃駆動部５０は、一例として、リニアアクチュエーターを有する。内刃駆動部５０は、制御部７０から入力される駆動信号に基づいて駆動する。内刃駆動部５０は、継手部品４１を電気かみそり１の幅方向において往復運動させる。
【００３２】
振動発生部１００は、振動入力部１３０を介して外刃ブロック３０に振動力ＦＶを伝達する。振動発生部１００の振動力ＦＶは、外刃ブロック３０の高さ方向に作用する。振動発生部１００は、外刃ブロック３０に振動力ＦＶを入力することにより、肌導入量Ｓが適正範囲よりも多くなることを抑制する。
【００３３】
電源スイッチ６０は、本体部１０のケース上に形成されている。電源スイッチ６０は、ヒューマンマシンインターフェースの形態を有する。電源スイッチ６０は、電気かみそり１の電源をオンおよびオフするために操作される。電源スイッチ６０は、押し込み操作される毎に操作信号を制御部７０に入力する。
【００３４】
制御部７０は、少なくとも内刃駆動部５０および振動発生部１００を制御する。制御部７０は、電源スイッチ６０がオン操作されたとき、内刃駆動部５０および振動発生部１００の駆動を開始する。制御部７０は、本体部１０の電源スイッチ６０がオフ操作されたとき、内刃駆動部５０および振動発生部１００の駆動を停止する。
【００３５】
電源部８０は、本体部１０の内部に配置されている。電源部８０は、一例として、１次電池または２次電池の電力を電気かみそり１の電力ブロックに供給する。電気かみそり１の電力ブロックは、内刃駆動部５０、振動発生部１００、および制御部７０を含む。
【００３６】
図２は、振動発生部１００および振動入力部１３０のモデル構成を示している。
振動入力部１３０は、振動発生部１００が発生する振動力ＦＶを受ける。振動入力部１３０は、外刃ケース３１と同一の材料により一体的に形成されている。振動入力部１３０は、入力部空間１３１および入力部対向面１３２を有する。入力部空間１３１は、本体部１０側において開口している。入力部対向面１３２は、振動発生部１００の振動部品１２１と接触する。
【００３７】
振動発生部１００は、ケース１０１、磁力発生部１１０、および出力可動部１２０を有する。振動発生部１００は、ソレノイドを形成している。振動発生部１００は、振動入力部１３０および外刃ブロック３０を振動させることにより、肌２００に振動力ＦＶを伝達する。振動力ＦＶは、磁力発生部１１０の入力側鉄心１１３の吸引力に基づく出力可動部１２０の振動部品１２１の振動により、振動部品１２１が振動入力部１３０に伝達する力を示す。
【００３８】
振動発生部１００は、駆動方向Ｄを規定する。駆動方向Ｄは、振動部品１２１の変位方向の双方向を示す。駆動方向Ｄは、押付方向ＤＵおよび引込方向ＤＤを含む。押付方向ＤＵは、本体部１０側から除毛部２０側に向かう方向を示す。引込方向ＤＤは、除毛部２０側から本体部１０側に向かう方向を示す。
【００３９】
磁力発生部１１０は、ケース１０１の内部に配置されている。磁力発生部１１０は、ボビン１１１、コイル１１２、および入力側鉄心１１３を有する。磁力発生部１１０は、入力側鉄心１１３の吸引力を出力可動部１２０に作用させる。
【００４０】
ボビン１１１は、樹脂材料により形成されている。ボビン１１１は、ケース１０１に結合されている。コイル１１２は、ボビン１１１に巻き付けられている。コイル１１２は、制御部７０の制御に基づいて電流が流される。入力側鉄心１１３は、磁性材料により形成されている。入力側鉄心１１３は、ケース１０１に結合されている。
【００４１】
出力可動部１２０は、ケース１０１の内部に配置されている。出力可動部１２０は、振動部品１２１、出力側鉄心１２５、および荷重入力部品１２６を有する。出力可動部１２０は、入力側鉄心１１３の吸引力に基づいて、駆動方向Ｄにおいて往復運動する。
【００４２】
振動部品１２１は、樹脂材料により形成されている。振動部品１２１は、結合部１２２および接触部１２３を有する。振動部品１２１は、結合部１２２および接触部１２３が同一の材料により一体的に形成された構造を有する。結合部１２２の一部および接触部１２３は、振動入力部１３０の入力部空間１３１に配置されている。接触部１２３は、入力部対向面１３２に接触する接触部対向面１２４を有する。
【００４３】
出力側鉄心１２５は、磁性材料により形成されている。出力側鉄心１２５は、振動部品１２１の結合部１２２と結合されている。出力側鉄心１２５は、入力側鉄心１１３の吸引力により振動部品１２１と一体的に運動する。
【００４４】
荷重入力部品１２６は、一例として、コイルスプリングの形態を有する。荷重入力部品１２６は、押付方向ＤＵに作用する力を振動部品１２１に入力する。荷重入力部品１２６は、振動部品１２１に引込方向ＤＤの力が作用することにより、圧縮変形する。
【００４５】
入力側鉄心１１３および出力側鉄心１２５は、駆動方向Ｄにおいて隙間（以下、「内部隙間１０２」）を介して対向している。内部隙間１０２の大きさ（以下、「内部隙間距離ＬＡ」）は、外刃ブロック３０に作用する肌反力ＦＲ、および、コイル１１２の通電状態の少なくとも一方に応じて変化する。内部隙間距離ＬＡは、一例として、入力側鉄心１１３の対向面および出力側鉄心１２５の対向面の距離として規定することができる。なお、外刃ブロック３０に作用する肌反力ＦＲは、除毛部２０に作用する負荷の主要な成分の１つに相当する。
【００４６】
接触部対向面１２４および入力部対向面１３２は、駆動方向Ｄにおいて隙間（以下、「外部隙間１０３」）を介して対向している。外部隙間１０３の大きさ（以下、「外部隙間距離ＬＢ」）は、外刃ブロック３０に作用する肌反力ＦＲ、および、コイル１１２の通電状態の少なくとも一方に応じて変化する。
【００４７】
振動発生部１００は、少なくとも２つの駆動状態を有する。２つの駆動状態は、「通電状態」および「非通電状態」を示す。通電状態は、制御部７０の制御によりコイル１１２に電流が流れている状態を示す。非通電状態は、制御部７０によるコイル１１２への通電が停止されている状態を示す。振動発生部１００は、制御部７０の制御により以下の動作を形成する。
【００４８】
制御部７０は、一定周期毎にコイル１１２への通電を開始する。コイル１１２は、電流が流れることにより磁界を形成する。コイル１１２から発生した磁束は、入力側鉄心１１３を通過する。入力側鉄心１１３は、磁束が通過しているとき、出力側鉄心１２５に吸引力を作用させる。このため、出力側鉄心１２５および振動部品１２１は、入力側鉄心１１３の吸引力により、引込方向ＤＤに変位する。振動部品１２１は、引込方向ＤＤに変位することにより、荷重入力部品１２６の圧縮方向の変形量（以下、「圧縮変形量Ｖ」）を増加させる。通電状態の圧縮変形量Ｖは、非通電状態の圧縮変形量Ｖよりも大きい。
【００４９】
振動部品１２１および出力側鉄心１２５の吸引変位量Ｗは、非通電状態の内部隙間距離ＬＡの長さに応じて変化する。吸引変位量Ｗは、入力側鉄心１１３の吸引力に基づいて、出力側鉄心１２５および振動部品１２１が引込方向ＤＤに変位する量を示す。出力側鉄心１２５に作用する入力側鉄心１１３の吸引力は、非通電状態の内部隙間距離ＬＡが短くなるにつれて大きくなる。このため、吸引変位量Ｗは、非通電状態の内部隙間距離ＬＡが短くなるにつれて大きくなる。
【００５０】
内部隙間距離ＬＡおよび外部隙間距離ＬＢは、振動部品１２１が引込方向ＤＤに変位することにより変化する。すなわち、内部隙間距離ＬＡおよび外部隙間距離ＬＢは、振動発生部１００の駆動状態が非通電状態から通電状態に変化することにより変化する。内部隙間距離ＬＡは、非通電状態から通電状態への変化にともない短くなる。外部隙間距離ＬＢは、非通電状態から通電状態への変化にともない長くなる。
【００５１】
通電状態の内部隙間距離ＬＡおよび非通電状態の内部隙間距離ＬＡの差は、吸引変位量Ｗに相当する。通電状態の外部隙間距離ＬＢおよび非通電状態の外部隙間距離ＬＢの差は、吸引変位量Ｗに相当する。
【００５２】
制御部７０は、コイル１１２への通電を開始してから一定時間が経過した後、コイル１１２への通電を停止する。コイル１１２は、電流が流れなくなることにより、磁界を形成しなくなる。入力側鉄心１１３は、コイル１１２が磁界を形成していないとき、出力側鉄心１２５に吸引力を作用させない。このため、出力側鉄心１２５および振動部品１２１は、振動発生部１００の駆動状態が通電状態から非通電状態に変化したとき、荷重入力部品１２６の復元力により押付方向ＤＵに変位する。荷重入力部品１２６の圧縮変形量Ｖは、出力側鉄心１２５および振動部品１２１が押付方向ＤＵに変位することにより、通電状態の圧縮変形量Ｖよりも小さくなる。
【００５３】
内部隙間距離ＬＡおよび外部隙間距離ＬＢは、振動部品１２１が押付方向ＤＵに変位することにより変化する。すなわち、内部隙間距離ＬＡおよび外部隙間距離ＬＢは、振動発生部１００の駆動状態が通電状態から非通電状態に変化することにより変化する。内部隙間距離ＬＡは、通電状態から非通電状態への変化にともない長くなる。外部隙間距離ＬＢは、通電状態から非通電状態への変化にともない短くなる。
【００５４】
振動部品１２１および出力側鉄心１２５は、通電状態および非通電状態が交互に形成されることにより、磁力発生部１１０および振動入力部１３０に対して振動する。振動部品１２１は、非通電状態における振動入力部１３０との関係に応じて、振動入力部１３０に対する振動の伝達形態を変化させる。
【００５５】
図３は、振動部品１２１および振動入力部１３０が互いに接触した状態を示している。
振動部品１２１は、非通電状態において振動入力部１３０と接触していないとき、振動入力部１３０に振動を伝達しない。すなわち、振動部品１２１は、非通電状態の外部隙間距離ＬＢが「０」よりも大きいとき、振動入力部１３０に振動を伝達しない。このため、振動発生部１００は、外刃ブロック３０に振動力ＦＶを入力しない。
【００５６】
振動部品１２１は、非通電状態において振動入力部１３０と接触しているとき、振動入力部１３０に振動を伝達する。すなわち、振動部品１２１は、非通電状態の外部隙間距離ＬＢが「０」を取るとき、振動入力部１３０に振動を伝達する。振動部品１２１は、振動入力部１３０に振動を伝達することにより、振動入力部１３０および外刃ブロック３０に振動力ＦＶを入力する。
【００５７】
非通電状態の外部隙間距離ＬＢは、振動部品１２１に対する振動入力部１３０の駆動方向Ｄの位置に応じて変化する。振動入力部１３０は、外刃ブロック３０と一体的に変位する。このため、非通電状態の外部隙間距離ＬＢは、本体部１０に対する外刃ブロック３０の駆動方向Ｄの位置（以下、「外刃位置Ｃ」）に応じて変化する。
【００５８】
外刃ブロック３０は、肌反力ＦＲに応じて引込方向ＤＤに変位する。このため、外刃位置Ｃは、肌反力ＦＲに応じて変化する。肌反力ＦＲは、押付力ＦＦに応じて変化する。このため、外刃位置Ｃは、押付力ＦＦに応じて変化する。外刃位置Ｃは、最大離間位置ＣＵから最大接近位置ＣＤまでの範囲において変化する。外刃位置Ｃは、最大離間位置ＣＵと最大接近位置ＣＤとの間に部品接触位置ＣＭを有する。
【００５９】
最大離間位置ＣＵは、駆動方向Ｄにおいて、外刃ブロック３０が本体部１０から最も離間した位置を示す。最大接近位置ＣＤは、駆動方向Ｄにおいて、外刃ブロック３０が本体部１０に最も接近した位置を示す。部品接触位置ＣＭは、外刃ブロック３０が引込方向ＤＤに変位にすることもない、振動入力部１３０が振動部品１２１に接触しはじめる位置を示す。
【００６０】
外刃ブロック３０は、肌反力ＦＲが作用していないとき、最大離間位置ＣＵを取る。外刃ブロック３０は、肌反力ＦＲが作用していることにより、本体部１０に対して限界まで引込方向ＤＤに変位したとき、最大接近位置ＣＤを取る。外刃位置Ｃは、本体部１０に対する外刃ブロック３０の引込方向ＤＤの変位量（以下、「外刃変位量ＸＢ」）により記述することができる。
【００６１】
外刃変位量ＸＢは、外刃位置Ｃが最大離間位置ＣＵを取るとき、最小変位量ＸＢＬを取る。外刃変位量ＸＢは、外刃位置Ｃが最大離間位置ＣＵから部品接触位置ＣＭまでの範囲に含まれるとき、外刃位置Ｃに応じて変化する。外刃変位量ＸＢは、外刃位置Ｃが部品接触位置ＣＭを取るとき、基準変位量ＸＢＭを取る。外刃変位量ＸＢは、外刃位置Ｃが部品接触位置ＣＭから最大接近位置ＣＤまでの範囲に含まれるとき、外刃位置Ｃに応じて変化する。外刃変位量ＸＢは、外刃位置Ｃが最大接近位置ＣＤを取るとき、最大変位量ＸＢＨを取る。
【００６２】
非通電状態の外部隙間距離ＬＢは、外刃位置Ｃが最大離間位置ＣＵを取るとき、外部隙間距離ＬＢの変化範囲において最も長くなる。すなわち、非通電状態の外部隙間距離ＬＢは、外刃変位量ＸＢが最小変位量ＸＢＬを取るとき、外部隙間距離ＬＢの変化範囲において最も長くなる。
【００６３】
非通電状態の外部隙間距離ＬＢは、外刃位置Ｃが最大離間位置ＣＵと部品接触位置ＣＭとの間の範囲に含まれるとき、外刃位置Ｃが部品接触位置ＣＭに近づくにつれて短くなる。すなわち、非通電状態の外部隙間距離ＬＢは、外刃変位量ＸＢが最小変位量ＸＢＬと基準変位量ＸＢＭとの間の範囲に含まれるとき、外刃変位量ＸＢが大きくなるにつれて短くなる。
【００６４】
非通電状態の外部隙間距離ＬＢは、外刃位置Ｃが部品接触位置ＣＭを取るとき、「０」を取る。すなわち、非通電状態の外部隙間距離ＬＢは、外刃変位量ＸＢが基準変位量ＸＢＭを取るとき、「０」を取る。
【００６５】
非通電状態の外部隙間距離ＬＢは、外刃位置Ｃが部品接触位置ＣＭから最大接近位置ＣＤまでの範囲に含まれるとき、「０」を取る。すなわち、非通電状態の外部隙間距離ＬＢは、外刃変位量ＸＢが基準変位量ＸＢＭから最大変位量ＸＢＨまでの範囲に含まれるとき、「０」を取る。
【００６６】
外刃ブロック３０は、外刃位置Ｃが部品接触位置ＣＭから最大接近位置ＣＤまでの範囲に含まれるとき、外刃変位量ＸＢが大きくなるにつれて、振動部品１２１を磁力発生部１１０に対して引込方向ＤＤに変位させる。外刃ブロック３０は、振動部品１２１を引込方向ＤＤに変位させることにより、振動部品１２１の基準部品位置ＰＸを変化させる。
【００６７】
基準部品位置ＰＸは、非通電状態における磁力発生部１１０に対する振動部品１２１の位置を示す。基準部品位置ＰＸは、外刃位置Ｃの変化に応じて、最小吸引位置ＰＸＵから最大吸引位置ＰＸＤまでの範囲において変化する。
【００６８】
基準部品位置ＰＸは、外刃位置Ｃが最大離間位置ＣＵを取るとき、最小吸引位置ＰＸＵを取る。すなわち、基準部品位置ＰＸは、外刃変位量ＸＢが最小変位量ＸＢＬを取るとき、最小吸引位置ＰＸＵを取る。
【００６９】
基準部品位置ＰＸは、外刃位置Ｃが最大離間位置ＣＵと部品接触位置ＣＭとの間の範囲に含まれるとき、外刃位置Ｃの変化に反応せず、最小吸引位置ＰＸＵを取る。すなわち、基準部品位置ＰＸは、外刃変位量ＸＢが最小変位量ＸＢＬと基準変位量ＸＢＭとの間の範囲に含まれるとき、外刃変位量ＸＢの変化に反応せず、最小吸引位置ＰＸＵを取る。
【００７０】
基準部品位置ＰＸは、外刃位置Ｃが部品接触位置ＣＭから最大接近位置ＣＤまでの範囲に含まれるとき、外刃位置Ｃが最大接近位置ＣＤに近づくにつれて最大吸引位置ＰＸＤに近づく。すなわち、基準部品位置ＰＸは、外刃変位量ＸＢが基準変位量ＸＢＭから最大変位量ＸＢＨまでの範囲に含まれるとき、外刃変位量ＸＢが最大変位量ＸＢＨに近づくにつれて最大吸引位置ＰＸＤに近づく。
【００７１】
基準部品位置ＰＸは、外刃位置Ｃが最大接近位置ＣＤを取るとき、最大吸引位置ＰＸＤを取る。すなわち、基準部品位置ＰＸは、外刃変位量ＸＢが最大変位量ＸＢＨを取るとき、最大吸引位置ＰＸＤを取る。
【００７２】
非通電状態の内部隙間距離ＬＡは、基準部品位置ＰＸに応じて変化する。吸引変位量Ｗは、非通電状態の内部隙間距離ＬＡに応じて変化する。このため、吸引変位量Ｗは、基準部品位置ＰＸに応じて変化する。
【００７３】
非通電状態の内部隙間距離ＬＡは、基準部品位置ＰＸが最小吸引位置ＰＸＵを取るとき、基準部品位置ＰＸに応じた変化範囲内において最も長くなる。このため、吸引変位量Ｗは、基準部品位置ＰＸが最小吸引位置ＰＸＵを取るとき、基準部品位置ＰＸに応じた変化範囲内において最も小さくなる。
【００７４】
非通電状態の内部隙間距離ＬＡは、基準部品位置ＰＸが最小吸引位置ＰＸＵから最大吸引位置ＰＸＤに近づくにつれて短くなる。このため、吸引変位量Ｗは、基準部品位置ＰＸが最小吸引位置ＰＸＵから最大吸引位置ＰＸＤに近づくにつれて大きくなる。
【００７５】
非通電状態の内部隙間距離ＬＡは、基準部品位置ＰＸが最大吸引位置ＰＸＤを取るとき、基準部品位置ＰＸに応じた変化範囲内において最も短くなる。このため、吸引変位量Ｗは、基準部品位置ＰＸが最大吸引位置ＰＸＤを取るとき、基準部品位置ＰＸに応じた変化範囲内において最も大きくなる。
【００７６】
吸引変位量Ｗは、外刃位置Ｃに応じて次のとおり変化する。
吸引変位量Ｗは、外刃位置Ｃが部品接触位置ＣＭよりも最大離間位置ＣＵ側の範囲に含まれるとき、外刃位置Ｃの変化に反応しない。吸引変位量Ｗは、外刃位置Ｃが部品接触位置ＣＭから最大接近位置ＣＤまでの範囲に含まれるとき、外刃位置Ｃが最大接近位置ＣＤに近づくにつれて大きくなる。
【００７７】
振動部品１２１は、次のとおり振動入力部１３０に振動を伝達する。
振動部品１２１は、外刃位置Ｃが部品接触位置ＣＭから最大接近位置ＣＤまでの範囲に含まれる場合において、振動発生部１００の駆動状態が非通電状態のとき、振動入力部１３０に接触している。
【００７８】
振動部品１２１は、振動発生部１００の駆動状態が非通電状態から通電状態に変化したとき、引込方向ＤＤに変位する。接触部１２３は、振動部品１２１の変位に応じて振動入力部１３０から離間する。内部隙間距離ＬＡは、振動部品１２１の変位に応じて短くなる。外部隙間距離ＬＢは、振動部品１２１の変位に応じて長くなる。
【００７９】
振動部品１２１は、振動発生部１００の駆動状態が通電状態から非通電状態に変化したとき、押付方向ＤＵに変位する。内部隙間距離ＬＡは、振動部品１２１の変位に応じて長くなる。外部隙間距離ＬＢは、振動部品１２１の変位に応じて短くなる。接触部１２３は、振動部品１２１の変位に応じて振動入力部１３０に衝突する。
【００８０】
このため、振動部品１２１は、振動力ＦＶとしての衝撃荷重を振動入力部１３０に伝達する。このため、外刃ブロック３０は、振動入力部１３０に伝達された衝撃荷重を肌２００に伝達する。すなわち、外刃ブロック３０は、押付力ＦＦおよび振動力ＦＶの合力を肌２００に伝達する。
【００８１】
電気かみそり１は、以下の作用を有する。
外刃位置Ｃは、肌反力ＦＲに応じて変化する。外刃位置Ｃは、肌反力ＦＲが大きくなるにつれて最大接近位置ＣＤに近づく。外刃位置Ｃは、肌反力ＦＲが基準肌反力ＦＲＸを取るとき、部品接触位置ＣＭに達する。押付力ＦＦは、肌反力ＦＲが基準肌反力ＦＲＸを取るとき、基準押付力ＦＦＸを取る。
【００８２】
このため、外刃位置Ｃは、押付力ＦＦが基準押付力ＦＦＸを取るとき、部品接触位置ＣＭを取る。このため、外刃ブロック３０は、押付力ＦＦが基準押付力ＦＦＸ未満から基準押付力ＦＦＸ以上の大きさに変化したとき、振動入力部１３０を振動部品１２１に接触させる。このため、振動部品１２１は、押付力ＦＦが基準押付力ＦＦＸ未満から基準押付力ＦＦＸ以上の大きさに変化したとき、振動入力部１３０および外刃ブロック３０に振動を伝達しはじめる。
【００８３】
肌導入量Ｓは、押付力ＦＦが基準押付力ＦＦＸ未満の大きさを取るとき、適正範囲に含まれ、かつ適正範囲の上限に対して一定の余裕を持つ。肌導入量Ｓは、押付力ＦＦが基準押付力ＦＦＸ以上の大きさを取り、押付力ＦＦと基準押付力ＦＦＸとの差が小さいとき、適正範囲の上限に対する余裕が小さい。肌導入量Ｓは、押付力ＦＦが基準押付力ＦＦＸ以上の大きさを取り、押付力ＦＦと基準押付力ＦＦＸとの差が大きいとき、適正範囲を超えるおそれが高くなる。
【００８４】
このため、振動部品１２１が振動入力部１３０および外刃ブロック３０に振動を伝達しはじめるタイミングは、肌導入量Ｓが適正範囲を超えるおそれが低い状態から、肌導入量Ｓが適正範囲を超えるおそれが高い状態に変化したタイミングに相当する。このため、使用者は、外刃ブロック３０が駆動方向Ｄに振動しはじめたことに基づいて、肌導入量Ｓが適正範囲を超えるおそれが高いことを認識することができる。すなわち、電気かみそり１は、外刃ブロック３０を駆動方向Ｄに振動させることにより、肌導入量Ｓのレベルを使用者に報知することができる。
【００８５】
本願発明者は、押付力ＦＦおよび振動力ＦＶの変化にともなう外刃ブロック３０および肌２００の関係の変化を確認する試験を実施した。本願発明者は、この試験の結果から以下の知見を得た。
【００８６】
外刃ブロック３０は、押付力ＦＦが基準押付力ＦＦＸ未満の大きさを取る状態において、押付力ＦＦおよび振動力ＦＶの少なくとも一方が増加するとき、肌２００との密着性が高められる。このため、除毛部２０が剃る毛の量が増加しやすくなる。
【００８７】
外刃ブロック３０は、押付力ＦＦが基準押付力ＦＦＸ以上の大きさを取る場合において、振動発生部１００の振動力ＦＶが入力されていないとき、または、入力される振動力ＦＶが小さいとき、適正範囲を超える量の肌２００を導入するおそれが高い。
【００８８】
外刃ブロック３０は、押付力ＦＦが基準押付力ＦＦＸ以上の大きさを取る場合において、基準振動力ＦＶＸ以上の大きさを取る振動力ＦＶが振動発生部１００から入力されるとき、肌２００から間欠的に離間方向に変位しやすくなる。このため、肌導入量Ｓが減少しやすくなる。
【００８９】
振動力ＦＶに基づく外刃ブロック３０の離間方向の変位は、外刃ブロック３０を肌２００に押し付ける方向とは反対方向のベクトル、または、反対方向に近い方向のベクトルを持つ変位を示す。
【００９０】
外刃ブロック３０は、振動力ＦＶに基づく離間方向の変位により、肌２００との間に空間を形成する場合、および、肌２００との間に空間を形成しない場合を有する。外刃ブロック３０は、振動力ＦＶに基づく離間方向の変位により、肌２００を導入していない状態、または、離間方向への変位前よりも肌導入量Ｓが減少した状態を形成する。外刃ブロック３０は、肌２００との間に空間を形成したか否かにかかわらず、振動力ＦＶに基づいて離間方向に変位することにより、振動力ＦＶに基づく離間方向の変位を形成しない場合と比較して、肌導入量Ｓを減少させる。
【００９１】
このため、外刃ブロック３０は、押付力ＦＦが基準押付力ＦＦＸ以上の大きさを取ることにより、適正範囲よりも多い量の肌２００を導入していたとしても、離間方向への変位により肌導入量Ｓを減少させる。このため、肌２００が損傷しにくくなる。すなわち、振動発生部１００の振動力ＦＶは、基準押付力ＦＦＸ以上の大きさを取る押付力ＦＦが肌２００に作用している場合、外刃ブロック３０を肌２００に対して間欠的に離間方向に変位させることにより、肌導入量Ｓを減少させる。
【００９２】
振動力ＦＶに基づいて外刃ブロック３０が離間方向に変位する理由は、次のように考えられる。肌２００は、外部から入力される力が大きくなるにつれて、凹み変形量が大きくなる。肌２００は、凹み変形量が大きくなるにつれて、押付力ＦＦに基づく変形が生じにくくなる。肌２００は、押付力ＦＦが基準押付力ＦＦＸ以上の大きさを取るとき、変形代が存在しない状態、または、変形代が十分に小さい状態を形成する。
【００９３】
このため、肌２００は、押付力ＦＦが基準押付力ＦＦＸ以上の大きさを取る場合において、外刃ブロック３０から振動力ＦＶを受けたとき、振動力ＦＶに基づく凹み変形を生じない、または、振動力ＦＶに基づく凹み変形量が微小な状態を形成する。このため、外刃ブロック３０は、肌２００に振動力ＦＶを伝達することにともない、衝撃的かつ大きな反力を肌２００から受ける。このため、外刃ブロック３０が振動力ＦＶに基づいて間欠的に離間方向に変位すると考えられる。
【００９４】
振動発生部１００は、以上の事項を踏まえて、押付力ＦＦが大きくなるにつれて外刃ブロック３０の振動が大きくなる構造を有する。このため、振動発生部１００は、押付力ＦＦが大きくなるにつれて、外刃ブロック３０を肌２００に対して離間方向に変位させやすくなる。このため、肌導入量Ｓが減少しやすくなる。外刃ブロック３０の振動は、以下の理由により、押付力ＦＦが大きくなるにつれて大きくなる。
【００９５】
肌反力ＦＲは、押付力ＦＦが大きくなるにつれて大きくなる。外刃位置Ｃは、肌反力ＦＲが大きくなるにつれて引込方向ＤＤ側に変化する。基準部品位置ＰＸは、肌反力ＦＲが大きくなるにつれて最大吸引位置ＰＸＤに近づく。内部隙間距離ＬＡは、基準部品位置ＰＸが最大吸引位置ＰＸＤに近づくにつれて短くなる。入力側鉄心１１３の吸引力は、内部隙間距離ＬＡが短くなるにつれて大きくなる。荷重入力部品１２６の圧縮変形量Ｖは、入力側鉄心１１３の吸引力が大きくなるにつれて大きくなる。振動発生部１００の振動力ＦＶは、圧縮変形量Ｖが大きくなるにつれて大きくなる。このため、振動発生部１００の振動力ＦＶは、肌反力ＦＲが大きくなるにつれて大きくなる。このため、外刃ブロック３０の振動は、肌反力ＦＲが大きくなるにつれて大きくなる。このため、外刃ブロック３０の振動は、押付力ＦＦが大きくなるにつれて大きくなる。
【００９６】
電気かみそり１は、以下の効果を奏する。
（１）電気かみそり１は、振動発生部１００を有する。振動発生部１００は、振動入力部１３０を介して外刃ブロック３０に振動力ＦＶを伝達する。このため、外刃ブロック３０は、押付力ＦＦが大きいとき、肌２００に対して間欠的に離間方向に変位する。このため、肌２００の損傷が生じにくくなる。すなわち、電気かみそり１は、肌２００の損傷を生じにくくすることに貢献する。
【００９７】
（２）振動発生部１００は、外刃ブロック３０を肌２００に対して離間方向に変位させる。このため、外刃ブロック３０および肌２００の間の摩擦力が小さくなる。このため、外刃ブロック３０は、除毛のための移動方向に対する対向が小さくなる。このため、使用者は、除毛のために電気かみそり１を肌２００に対して移動させる力を小さくすることができる。
【００９８】
（３）振動発生部１００は、押付力ＦＦが基準押付力ＦＦＸ未満の大きさから基準押付力ＦＦＸ以上の大きさに変化したとき、振動入力部１３０に振動を伝達しはじめる。このため、外刃ブロック３０は、肌導入量Ｓが適正範囲を超えるおそれが高いことを、振動により使用者に報知することができる。
【００９９】
（４）肌導入量Ｓは、振動力ＦＶに基づく外刃ブロック３０の離間方向の変位が存在していない条件を仮定したとき、押付力ＦＦが大きくなるにつれて多くなる。このため、大きな押付力ＦＦは、肌導入量Ｓを過度に多くするおそれを潜在的に有する。一方、振動発生部１００は、押付力ＦＦが大きくなるにつれて振動力ＦＶを増加させる。このため、外刃ブロック３０は、押付力ＦＦが大きくなるにつれて肌２００から離間しやすくなる。このため、大きな押付力ＦＦに起因して肌導入量Ｓが過度に多くなるおそれが低減される。
【０１００】
（５）電気かみそり１は、比較電気かみそりに対して有利な点を有する。比較電気かみそりは、以下の点において電気かみそり１と相違し、その他の点において、電気かみそり１と同一の構成を有する仮想の電気かみそりを示す。
【０１０１】
比較電気かみそりは、肌反力ＦＲが作用していない状態において、振動部品および振動入力部が互いに接触している。比較電気かみそりは、駆動方向Ｄにおいて、出力側鉄心が入力側鉄心に対して外刃ブロックとは反対側に配置されている。
【０１０２】
このため、比較電気かみそりの出力側鉄心は、外刃ブロックが引込方向ＤＤ側に変化するにつれて、入力側鉄心から離間する。このため、比較電気かみそりの内部隙間距離ＬＡは、肌反力ＦＲが大きくなるにつれて長くなる。このため、比較電気かみそりの入力側鉄心の吸引力は、肌反力ＦＲが大きくなるにつれて小さくなる。
【０１０３】
このため、比較電気かみそりの振動力ＦＶは、肌反力ＦＲが大きくなるにつれて小さくなる。このため、比較電気かみそりの外刃ブロックの振動は、押付力ＦＦが大きくなるにつれて小さくなる。すなわち、比較電気かみそりの振動発生部は、押付力ＦＦが大きくなるにつれて、実質的に機能していない状態に近づく。
【０１０４】
一方、電気かみそり１の振動発生部１００は、押付力ＦＦが大きくなるにつれて内部隙間距離ＬＡが短くなる。このため、振動発生部１００は、押付力ＦＦが大きくなるにつれて、外刃ブロック３０を振動させる能力が高くなる。このため、振動発生部１００は、肌２００の損傷を生じにくくする効果を高めることに貢献する。
【０１０５】
（第２実施形態）
図４は、第２実施形態の電気かみそり１の一形態を示している。
第２実施形態の電気かみそり１は、複数の構成要素を有する。第２実施形態の複数の構成要素は、第１実施形態の電気かみそり１が有する複数の構成要素と同様または類似の構造および機能を有する。第２実施形態の電気かみそり１の説明は、第１実施形態の構成要素と同様または類似の構造および機能を有する第２実施形態の構成要素の説明の一部または全部を省略する。第２実施形態の電気かみそり１の説明は、第１実施形態の構成要素と同様または類似の構造および機能を有する第２実施形態の構成要素の少なくとも一部に対して、第１実施形態の構成要素と同一の符号を付している。
【０１０６】
第２実施形態の電気かみそり１は、主として、次の点において第１実施形態の電気かみそり１と相違する。第１実施形態の電気かみそり１は、外刃ブロック３０が肌２００に押し付けられていない状態において外部隙間距離ＬＢを調整するための機構を有していない。第２実施形態の電気かみそり１は、外刃ブロック３０が肌２００に押し付けられていない状態において外部隙間距離ＬＢを調整するための隙間調整部１４０を有する。
【０１０７】
隙間調整部１４０は、複数の構成要素の集合により構成されている。隙間調整部１４０の複数の構成要素は、少なくとも、位置規制機構１４１、操作部品１４２、および２つのばね１４３を含む。
【０１０８】
２つのばね１４３は、本体部１０と外刃ケース３１との間に配置されている。２つのばね１４３は、電気かみそり１の幅方向の中心線に対して左右対称の位置に配置されている。ばね１４３は、外刃ブロック３０が引込方向ＤＤに変位することにより圧縮変形する。
【０１０９】
操作部品１４２は、本体部１０のケース上に形成されている。操作部品１４２は、外力が入力されることにより、本体部１０に対して変位する。操作部品１４２は、リンク機構（図示略）を介して位置規制機構１４１と連結されている。操作部品１４２は、操作部品１４２の操作位置の変化に応じて位置規制機構１４１を動作させる。操作部品１４２の操作位置は、最大離間設定位置から最大接近設定位置までの範囲において連続的または段階的に変化する。操作部品１４２の操作位置は、最大離間設定位置と最大接近設定位置との間に基準設定位置を有する。
【０１１０】
位置規制機構１４１は、外刃ブロック３０が本体部１０に対して押付方向ＤＵに変位することができる限界の位置（以下、「離間限界位置ＣＸ」）を、操作部品１４２の操作位置の変化に応じて変更する。位置規制機構１４１は、外刃ブロック３０の引込方向ＤＤの変位を規制しない。外刃ブロック３０は、肌反力ＦＲが作用していない状態において離間限界位置ＣＸを取る。
【０１１１】
位置規制機構１４１は、操作部品１４２の操作位置が最大離間設定位置を取るとき、離間限界位置ＣＸを最大離間位置ＣＵに設定する。位置規制機構１４１は、操作部品１４２の操作位置が基準設定位置を取るとき、離間限界位置ＣＸを部品接触位置ＣＭに設定する。位置規制機構１４１は、操作部品１４２の操作位置が最大接近設定位置を取るとき、離間限界位置ＣＸを最大接近位置ＣＤに設定する。
【０１１２】
非通電状態の外部隙間距離ＬＢは、離間限界位置ＣＸが最大離間位置ＣＵを取るとき、操作部品１４２の操作位置に基づく変化範囲において最も長くなる。非通電状態の外部隙間距離ＬＢは、離間限界位置ＣＸが最大離間位置ＣＵと部品接触位置ＣＭとの間の範囲に含まれるとき、離間限界位置ＣＸが部品接触位置ＣＭに近づくにつれて短くなる。非通電状態の外部隙間距離ＬＢは、離間限界位置ＣＸが部品接触位置ＣＭを取るとき、「０」を取る。非通電状態の外部隙間距離ＬＢは、離間限界位置ＣＸが部品接触位置ＣＭと最大接近位置ＣＤと間の範囲に含まれるとき、「０」を取る。非通電状態の外部隙間距離ＬＢは、離間限界位置ＣＸが最大接近位置ＣＤを取るとき、「０」を取る。
【０１１３】
振動発生部１００は、離間限界位置ＣＸが最大離間位置ＣＵを取る場合、押付力ＦＦが基準押付力ＦＦＸ未満から基準押付力ＦＦＸ以上の大きさに変化したとき、振動入力部１３０に振動を伝達しはじめる。すなわち、振動発生部１００は、第１実施形態の振動発生部１００と同じ動作を形成する。
【０１１４】
振動発生部１００は、離間限界位置ＣＸが最大離間位置ＣＵと部品接触位置ＣＭとの間の位置を取る場合、押付力ＦＦが所定押付力ＦＦＷ未満から所定押付力ＦＦＷ以上の大きさに変化したとき、振動入力部１３０に振動を伝達しはじめる。所定押付力ＦＦＷは、「０」よりも大きく、基準押付力ＦＦＸよりも小さい。所定押付力ＦＦＷは、離間限界位置ＣＸが部品接触位置ＣＭに近づくにつれて小さくなる。
【０１１５】
振動発生部１００は、離間限界位置ＣＸが部品接触位置ＣＭから最大接近位置ＣＤまでの範囲に含まれる場合、押付力ＦＦが「０」よりも大きい大きさに変化したとき、振動入力部１３０に振動を伝達しはじめる。
【０１１６】
第２実施形態の電気かみそり１は、第１実施形態の電気かみそり１が奏する（１）の効果、すなわち、肌２００を損傷させにくくすることに貢献する旨の効果、および（２）〜（５）の効果を奏する。第２実施形態の電気かみそり１は、さらに以下の効果を奏する。
【０１１７】
（６）電気かみそり１は、隙間調整部１４０を有する。隙間調整部１４０は、操作部品１４２の操作位置に応じて外部隙間距離ＬＢの大きさを調整する。このため、使用者は、振動発生部１００が外刃ブロック３０に振動を伝達しはじめるときの押付力ＦＦの大きさを調整することができる。
【０１１８】
（第３実施形態）
図１は、第３実施形態の電気かみそり１の一形態を示している。
第３実施形態の電気かみそり１は、複数の構成要素を有する。第３実施形態の複数の構成要素は、第３実施形態の電気かみそり１が有する複数の構成要素と同様または類似の構造および機能を有する。第３実施形態の電気かみそり１の説明は、第１実施形態の構成要素と同様または類似の構造および機能を有する第３実施形態の構成要素の説明の一部または全部を省略する。第３実施形態の電気かみそり１の説明は、第１実施形態の構成要素と同様または類似の構造および機能を有する第３実施形態の構成要素の少なくとも一部に対して、第３実施形態の構成要素と同一の符号を付している。
【０１１９】
第３実施形態の電気かみそり１は、主として、次の点において第１実施形態の電気かみそり１と相違する。第１実施形態の電気かみそり１は、電源スイッチ６０のオン操作にともない振動発生部１００を駆動する。第３実施形態の電気かみそり１は、肌反力ＦＲを検知し、検知結果に基づいて振動発生部１００を駆動する。
【０１２０】
第３実施形態の電気かみそり１は、以下の詳細な構成を有する。
電気かみそり１は、負荷検知部（図示略）を有する。負荷検知部は、外刃ブロック３０の変位、外刃ブロック３０の圧力、または、外刃ブロック３０のひずみに応じて変化する検知信号を出力する。制御部７０は、負荷検知部の検知信号と基準信号とを比較し、比較結果に基づいて振動発生部１００を制御する。制御部７０は、肌反力ＦＲが基準肌反力ＦＲＸ以上の大きさを取ることが、負荷検知部の検知信号および基準信号の関係により示唆されるとき、コイル１１２への通電を開始する。制御部７０は、一定の大きさの電流をコイル１１２に流す。制御部７０は、肌反力ＦＲが基準肌反力ＦＲＸ未満の大きさを取ることが、負荷検知部の検知信号および基準信号の関係により示唆されるとき、コイル１１２への通電を停止する。
【０１２１】
第３実施形態の電気かみそり１は、第１実施形態の電気かみそり１が奏する（１）の効果、すなわち、肌２００を損傷させにくくすることに貢献する旨の効果、および、（２）〜（５）の効果を奏する。
【０１２２】
（その他の実施形態）
本電気かみそりは、第１実施形態〜第３実施形態とは異なるその他の実施形態を含む。その他の実施形態は、一例として、以下に示される第１実施形態〜第３実施形態の変形例の形態を有する。なお、以下の各変形例は、技術的に矛盾しない範囲において互いに組み合わせることができる。
【０１２３】
・第１実施形態の振動発生部１００は、入力側鉄心１１３をケース１０１に固定している。ただし、振動発生部１００の構成は、第１実施形態に例示された内容に限られない。変形例の振動発生部１００は、入力側鉄心１１３がケース１０１に対して変位することが可能な構造を有する。なお、第２実施形態および第３実施形態の振動発生部１００においても同様の変形が成立する。
【０１２４】
・第１実施形態の振動発生部１００は、樹脂材料により形成された振動部品１２１を有する。ただし、振動部品１２１の材質は、第１実施形態に例示された内容に限られない。変形例の振動発生部１００は、一例として、金属材料により形成された振動部品１２１を有する。なお、第２実施形態および第３実施形態の振動発生部１００においても同様の変形が成立する。
【０１２５】
・第１実施形態の振動部品１２１は、結合部１２２および接触部１２３が同一の材料により一体的に形成された構造を有する。ただし、振動部品１２１の構造は、第１実施形態に例示された内容に限られない。変形性の振動部品１２１は、個別の部品として形成された結合部１２２および接触部１２３が互いに結合された構造を有する。この振動部品１２１は、結合部１２２および接触部１２３の材質を互いに異ならせることができる。なお、第２実施形態および第３実施形態の振動部品１２１においても同様の変形が成立する。
【０１２６】
・第１実施形態の振動入力部１３０は、外刃ケース３１と同一の材料により一体的に形成されている。ただし、振動入力部１３０の構成は、第１実施形態に例示された内容に限られない。変形例の振動入力部１３０は、外刃ケース３１とは別の部品として形成され、外刃ケース３１に結合されている。なお、第２実施形態および第３実施形態の振動入力部１３０においても同様の変形が成立する。
【０１２７】
・第１実施形態の電気かみそり１は、肌反力ＦＲが作用していない状態において、振動部品１２１と振動入力部１３０との間に外部隙間１０３を形成する。振動入力部１３０は、肌反力ＦＲが基準肌反力ＦＲＸ以上の大きさを取るとき、振動部品１２１と接触する。ただし、振動部品１２１および振動入力部１３０の関係は、第１実施形態に例示された内容に限られない。変形例の電気かみそり１は、肌反力ＦＲが作用していない状態において、振動部品１２１および振動入力部１３０が互いに接触する構造を有する。なお、第３実施形態の電気かみそり１においても同様の変形が成立する。
【０１２８】
・第１実施形態の電気かみそり１は、振動入力部１３０および振動部品１２１の接触により、振動発生部１００の振動力ＦＶを外刃ブロック３０に伝達する。ただし、振動力ＦＶを外刃ブロック３０に伝達するための構成は、第１実施形態に例示された構成に限られない。変形例の電気かみそり１は、振動入力部１３０を省略している。振動発生部１００は、振動部品１２１を外刃ケース３１に接触させることにより、振動力ＦＶを外刃ブロック３０に伝達する。
【０１２９】
・第１実施形態の電気かみそり１は、図２に例示される外刃ブロック３０を有する。ただし、外刃ブロック３０の構成は、第１実施形態に例示された内容に限られない。変形例の電気かみそり１は、外刃ブロック３０に代えて変形外刃ブロックを有する。変形外刃ブロックは、外刃ブロック３０の機能に準じた機能を有し、外刃ブロック３０と異なる構成を有する。なお、第２実施形態および第３実施形態の電気かみそり１においても同様の変形が成立する。
【０１３０】
・第１実施形態の電気かみそり１は、図２に例示される内刃ブロック４０を有する。ただし、内刃ブロック４０の構成は、第１実施形態に例示された内容に限られない。変形例の電気かみそり１は、内刃ブロック４０に代えて変形内刃ブロックを有する。変形内刃ブロックは、内刃ブロック４０の機能に準じた機能を有し、内刃ブロック４０と異なる構成を有する。なお、第２実施形態および第３実施形態の電気かみそり１においても同様の変形が成立する。
【０１３１】
・第１実施形態の電気かみそり１は、図２に例示される磁力発生部１１０を有する。ただし、磁力発生部１１０の構成は、第１実施形態に例示された内容に限られない。変形例の電気かみそり１は、磁力発生部１１０に代えて変形磁力発生部を有する。変形磁力発生部は、磁力発生部１１０の機能に準じた機能を有し、磁力発生部１１０と異なる構成を有する。なお、第２実施形態および第３実施形態の電気かみそり１においても同様の変形が成立する。
【０１３２】
・第１実施形態の電気かみそり１は、図２に例示される出力可動部１２０を有する。ただし、出力可動部１２０の構成は、第１実施形態に例示された内容に限られない。変形例の電気かみそり１は、出力可動部１２０に代えて変形出力可動部を有する。変形出力可動部は、出力可動部１２０の機能に準じた機能を有し、出力可動部１２０と異なる構成を有する。なお、第２実施形態および第３実施形態の電気かみそり１においても同様の変形が成立する。
【０１３３】
・第１実施形態の電気かみそり１は、図２に例示される振動入力部１３０を有する。ただし、振動入力部１３０の構成は、第１実施形態に例示された内容に限られない。変形例の電気かみそり１は、振動入力部１３０に代えて変形振動入力部を有する。変形振動入力部は、振動入力部１３０の機能に準じた機能を有し、振動入力部１３０と異なる構成を有する。なお、第２実施形態および第３実施形態の電気かみそり１においても同様の変形が成立する。
【０１３４】
・第２実施形態の電気かみそり１は、図４に例示される隙間調整部１４０を有する。ただし、隙間調整部１４０の構成は、第２実施形態に例示された内容に限られない。変形例の電気かみそり１は、隙間調整部１４０に代えて変形隙間調整部を有する。変形隙間調整部は、隙間調整部１４０の機能に準じた機能を有し、隙間調整部１４０と異なる構成を有する。
【０１３５】
・第３実施形態の制御部７０は、肌反力ＦＲが基準肌反力ＦＲＸ以上の大きさを取ることが、負荷検知部の検知信号および基準信号の関係により示唆されるとき、一定の電流をコイル１１２に流す。ただし、制御部７０の制御内容は、第３実施形態に例示された内容に限られない。変形例の制御部７０は、コイル１１２に流す電流の大きさを肌反力ＦＲに応じて変化させる。この制御部７０は、一例として、以下の構成を有する。
【０１３６】
制御部７０は、肌反力ＦＲが基準肌反力ＦＲＸ以上の大きさを取ることが、負荷検知部の検知信号および基準信号の関係により示唆されるとき、負荷検知部の検知信号と高反力判定信号とを比較する。制御部７０は、負荷検知部の検知信号および高反力判定信号の比較結果に基づいて、基準肌反力ＦＲＸよりも大きい高反力と肌反力ＦＲとの関係を判定する。
【０１３７】
制御部７０は、肌反力ＦＲが高反力以上の大きさを取ることが、負荷検知部の検知信号および高反力判定信号の関係により示唆されるとき、高負荷時電流をコイル１１２に流す。制御部７０は、肌反力ＦＲが高反力未満の大きさを取ることが、負荷検知部の検知信号および高反力判定信号の関係により示唆されるとき、高負荷時電流よりも小さい低負荷時電流をコイル１１２に流す。このため、振動発生部１００の振動力ＦＶは、肌反力ＦＲが高反力以上の大きさを取るとき、肌反力ＦＲが高反力未満の大きさを取るときよりも大きくなる。このため、外刃ブロック３０は、肌反力ＦＲが高反力以上の大きさを取るとき、肌２００から離間方向により変位しやすくなる。
【０１３８】
（課題を解決するための手段に関する付記）
課題を解決するための手段は、下記の〔付記項１〕〜〔付記項４〕を含む。なお、〔付記項１〕〜〔付記項４〕が有する事項は、実施形態において開示された事項と対応している。
【０１３９】
〔付記項１〕
付記項１の電気かみそりは、請求項１〜３のいずれか一項に記載の電気かみそりにおいて、次の事項を有する。前記振動発生部は、前記除毛部の負荷が大きくなるにつれて前記除毛部に入力する振動力を増加させる。
【０１４０】
〔付記項２〕
付記項２の電気かみそりは、請求項１〜３のいずれか一項、または、付記項１に記載の電気かみそりにおいて、次の事項を有する。前記振動発生部は、前記除毛部の高さ方向において前記除毛部を振動させる。
【０１４１】
〔付記項３〕
付記項３に記載の電気かみそりは、請求項２もしくは３、または、付記項１もしくは２に記載の電気かみそりにおいて、次の事項を有する。前記電気かみそりは、制御部および負荷検知部を有する。前記負荷検知部は、前記除毛部に入力される負荷に応じて変化する検知信号を出力する。前記制御部は、前記除毛部の負荷が増加していることが前記検知信号により示唆されるとき、前記磁力発生部に入力する電流を大きくする。
【０１４２】
〔付記項４〕
付記項４に記載の電気かみそりは、次の事項を有する。前記電気かみそりは、本体部、除毛部、および振動発生部を有する。前記本体部は、前記除毛部を支持する。前記振動発生部は、磁力発生部および出力可動部を有する。前記磁力発生部は、コイルおよび入力側鉄心を有し、前記コイルにより磁界を形成し、前記入力側鉄心の吸引力を前記出力可動部に作用させる。前記出力可動部は、振動部品および出力側鉄心を有する。前記出力側鉄心は、前記振動部品と結合し、前記入力側鉄心の吸引力に基づいて前記磁力発生部に対して運動する。前記振動部品は、前記出力側鉄心の運動に基づいて前記除毛部に振動を伝達する。前記電気かみそりは、前記除毛部および前記振動部品の間に隙間を有する。前記隙間は、前記除毛部の負荷が大きくなるにつれて小さくなる。前記振動部品は、前記隙間が存在しているとき、前記除毛部に振動を伝達せず、前記隙間が存在していないとき、前記除毛部に振動を伝達する。
【符号の説明】
【０１４３】
１…電気かみそり
１０…本体部
２０…除毛部
１００…振動発生部
１１０…磁力発生部
１１２…コイル
１１３…入力側鉄心
１２０…出力可動部
１２１…振動部品
１２５…出力側鉄心
【図１】
2014193219.tif 000003
【図２】
2014193219.tif 000004
【図３】
2014193219.tif 000005
【図４】
2014193219.tif 000006
【図５】
2014193219.tif 000007